(57)【要約】      （修正有）【課題】デュアルセンシングモードを有する押しボタンスイッチを提供する。【解決手段】台座１０はベース１１を有し、前記ベースの内側底壁に押し信号伝導素子１１１１が設けられ、前記ベース内にさらに復帰弾性部１２が設けられ、前記復帰弾性部を上端から押されることによって前記押し信号伝導素子が押し信号を伝送し、摺動座２０は、摺動可能に前記台座中に固定され、且つ前記復帰弾性部に当接され、ボタンキャップ３０は前記摺動座に固定され、前記ボタンキャップの底端内側にボタンキャップチャンバーが形成され、センシング回路基板４０は、前記台座中に対応して通設され、タッチセンサ部５０は、前記センシング回路基板に電気的に接続されることにより、ユーザーが指で前記ボタンキャップの上端に置く時に、前記センシング回路基板がタッチ信号を出力できるように構成される。【選択図】図３
2019186181.tif 000002
【特許請求の範囲】
【請求項１】
デュアルセンシングモードを有する押しボタンスイッチであって、台座と、摺動座と、ボタンキャップと、センシング回路基板と、タッチセンサ部とを備え、
前記台座は、上端に開口部を有し、且つ前記台座の底端に固定されたベースを有し、前記ベースの内側底壁に押し信号伝導素子が設けられ、前記ベース内にさらに圧迫面を有する復帰弾性部が設けられ、前記圧迫面が、前記押し信号伝導素子と接触することなく前記押し信号伝導素子に向かって設置され、前記復帰弾性部を上端から押されることによって前記圧迫面が前記押し信号伝導素子に接触された場合、前記押し信号伝導素子が導通されて押し信号を伝送し、
前記摺動座は、摺動可能に前記台座中に固定され、且つ前記摺動座の底部にプッシャーを有し、前記プッシャーは前記復帰弾性部の上端に当接され、
前記ボタンキャップは、前記摺動座の上端に対応して固定され、前記ボタンキャップが下向きに押された場合、前記摺動座と連動して前記復帰弾性部を押し、前記ボタンキャップの底端には開口部を有し、且つ内側に凹んでボタンキャップチャンバーが形成され、
前記センシング回路基板は、前記台座中に通設され、且つ
前記タッチセンサ部は、前記ボタンキャップチャンバー内に設置され、且つ延出端を有し、前記延出端は前記センシング回路基板に電気的に接続されることにより、ユーザーが指で前記ボタンキャップの上端に置く時に、前記タッチセンサ部が感知して前記センシング回路基板がタッチ信号を出力することを特徴とする、デュアルセンシングモードを有する押しボタンスイッチ。
【請求項２】
前記タッチセンサ部は、前記ボタンキャップチャンバーの上壁の内壁面に固定されたフレキシブル透明導電性フィルムであることを特徴とする、請求項１に記載のデュアルセンシングモードを有する押しボタンスイッチ。
【請求項３】
前記ボタンキャップチャンバーの前記上壁は光透過可能であり、前記センシング回路基板は上端面を有し、前記上端面に光源モジュールが設けられ、前記光源モジュールは前記ボタンキャップチャンバーの前記上壁に向かって発光することを特徴とする、請求項２に記載のデュアルセンシングモードを有する押しボタンスイッチ。
【請求項４】
前記センシング回路基板は、複数の信号伝送部を有することを特徴とする、請求項３に記載のデュアルセンシングモードを有する押しボタンスイッチ。
【請求項５】
前記光源モジュールは、前記信号伝送部に電気的に接続されると共に、前記タッチ信号が出力された時に発光することを特徴とする、請求項４に記載のデュアルセンシングモードを有する押しボタンスイッチ。
【請求項６】
前記光源モジュールは、前記信号伝送部及び前記押し信号伝導素子に電気的に接続されると共に、前記タッチ信号及び前記押し信号が両方出力された時に発光することを特徴とする、請求項４に記載のデュアルセンシングモードを有する押しボタンスイッチ。
【発明の詳細な説明】
【技術分野】
【０００１】
本発明は１種のデュアルセンシングモードを有する押しボタンスイッチに係り、詳しく言うと、物理的に押すこととタッチセンシングという異なる２つの形式より、独立した２つの信号を生じる、押しボタンスイッチに関する。
【背景技術】
【０００２】
各種の電子製品において、ボタンを押すことより生じた信号で機能の起動と制御する構造はよく見られる。そのようなスイッチの規格、サイズ及び種類は非常に多く、応用できる範囲も相当広い。そのうち、スイッチが確実に押されているかをユーザーが確認できるように、発光素子を内蔵して、押された場合に発光するライト付きスイッチも存在する。
【０００３】
一般的な精密機器、小型機器または小型電子製品に採用するスイッチは、だいたい物理的に押すことで作動されるものであるが、タッチセンシング技術の発展につれて、人体の静電を感知する誘導型スイッチも現れた。その両者はそれぞれの利点があるが、一つのスイッチは通常一種の信号しか出力できないので、利用できる場面が制限されることになる。
【０００４】
また、従来の物理方式の押しボタンスイッチに関しては、押しているものがユーザーの指であるか否かを判断することができないため、誤触防止に対する配慮が十分ではないという問題があった。一方、タッチセンシング技術がライト付きスイッチに使われる場合、内部に金属製のセンシング回路が設けられるため、そのセンシング回路が内部の発光素子の一部をブロックし、スイッチ全体の光透過効果が妨げられる欠点がある。
【０００５】
そのため、本発明の発明者は以上の問題点を考えた上、従来技術の欠点を改善して産業の促進に寄与するように、一種のデュアルセンシングモードを有する押しボタンスイッチを設計した。
【発明の概要】
【発明が解決しようとする課題】
【０００６】
上記の従来技術の欠点を鑑みて、本発明は前記欠点を改善するように、一種のデュアルセンシングモードを有する押しボタンスイッチを提供する。
【課題を解決するための手段】
【０００７】
本発明の目的により、一種のデュアルセンシングモードを有する押しボタンスイッチを提供し、このデュアルセンシングモードを有する押しボタンスイッチは、台座と、摺動座と、ボタンキャップと、センシング回路基板と、タッチセンサ部とを備え、前記台座は上端に開口部を有する中空のハウジングからなり、且つ前記台座の底端に固定されたベースを有し、前記ベースの内側底壁にスロットが設けられ、前記スロットの底壁に押し信号伝導素子が設けられ、前記スロット内にさらに圧迫面を有する復帰弾性部が設けられ、前記圧迫面が、前記押し信号伝導素子と接触することなく前記押し信号伝導素子に向かって設置され、前記復帰弾性部を上端から押されることによって前記圧迫面が前記押し信号伝導素子に接触された場合、前記押し信号伝導素子が導通されて押し信号を伝送し、前記摺動座は、摺動可能に前記台座中に固定され、且つその内部に空洞を有し、その底部にプッシャーを有し、前記プッシャーは前記復帰弾性部の上端に当接され、前記ボタンキャップは、前記摺動座の上端に対応して固定され、前記ボタンキャップが下向きに押された場合、前記摺動座と連動して前記復帰弾性部を押し、前記ボタンキャップの底端には開口部を有し、且つ内側に凹んでボタンキャップチャンバーが形成され、前記センシング回路基板は、前記台座中に通設され、且つ前記タッチセンサ部は、前記ボタンキャップチャンバーの上壁の内壁面に設置され、且つ延出端を有し、前記延出端は前記センシング回路基板に電気的に接続されることにより、ユーザーが指で前記ボタンキャップの上端に置く時に、前記タッチセンサ部が感知して前記センシング回路基板がタッチ信号を出力する。
【発明の効果】
【０００８】
本発明のデュアルセンシングモードを有する押しボタンスイッチのデザインは、主にボタンスイッチ上に押し信号とタッチ信号という２つの信号を出力して、物理的な入力とタッチセンシング入力という２種類のボタン効果を提供し、一定の空間内に操作の柔軟性を増え、従来技術にない利点を有する。
【図面の簡単な説明】
【０００９】
【図１】本発明のデュアルセンシングモードを有する押しボタンスイッチを示す斜視図；
【図２】本発明のデュアルセンシングモードを有する押しボタンスイッチを示す別視角からの斜視図；
【図３】本発明のデュアルセンシングモードを有する押しボタンスイッチを示す分解図；
【図４】本発明のデュアルセンシングモードを有する押しボタンスイッチを示す別視角からの分解図；
【図５】本発明のデュアルセンシングモードを有する押しボタンスイッチを示す断面図；
【図６】本発明のデュアルセンシングモードを有する押しボタンスイッチを示す別視角からの断面図；及び
【図７】本発明のデュアルセンシングモードを有する押しボタンスイッチが押された場合の作動を示す断面模式図。
【発明を実施するための形態】
【００１０】
図１〜図７に示すように、本発明に係るデュアルセンシングモードを有する押しボタンスイッチは、台座（１０）と、摺動座（２０）と、ボタンキャップ（３０）と、センシング回路基板（４０）と、タッチセンサ部（５０）とを備える。
【００１１】
前記台座（１０）は上端に開口部を有する中空のハウジングであり、且つ前記台座（１０）の底端に固定されたベース（１１）を有し、前記ベース（１１）の内側底壁にスロット（１１１）が設けられ、前記スロット（１１１）の底壁に押し信号伝導素子（１１１１）が設けられ、前記スロット（１１１）内にさらに圧迫面（１２１）を有する復帰弾性部（１２）が設けられ、前記圧迫面（１２１）が、前記押し信号伝導素子（１１１１）と接触することなく前記押し信号伝導素子（１１１１）に向かって設置され、前記復帰弾性部（１２）を上端から押されることによって前記圧迫面（１２１）が前記押し信号伝導素子（１１１１）に接触された場合、前記押し信号伝導素子（１１１１）が導通されて押し信号を伝送する。
【００１２】
前記摺動座（２０）は、前記台座（１０）上端の開口部に対応して前記台座（１０）に挿通され、且つ摺動可能に前記台座（１０）中に固定され、その内部に空洞を有し、その底部にプッシャー（２１）を有し、前記プッシャー（２１）は前記復帰弾性部（１２）の上端に当接する。
【００１３】
前記ボタンキャップ（３０）は、前記摺動座（２０）の上端に対応して固定され、前記ボタンキャップ（３０）が下向きに押された場合、前記摺動座（２０）と連動して前記復帰弾性部（１２）を押すことで、前記押し信号伝導素子（１１１１）が前記押し信号を出力する。前記ボタンキャップ（３０）の底端には開口部を有し、且つ内側に凹んでボタンキャップチャンバー（３１）が形成され、前記ボタンキャップチャンバー（３１）の上壁（３１１）は光透過可能である。
【００１４】
前記センシング回路基板（４０）は前記台座（１０）中に通設され、且つ前記摺動座（２０）の空洞部分に位置する。前記センシング回路基板（４０）の底部には、前記スロット（１１１）の底壁を貫通する複数の信号伝送部（４１）を有する。そして、前記センシング回路基板（４０）は上端面（４２）を有し、その上端面（４２）に光源モジュール（４３）が設けられ、前記光源モジュール（４３）は前記ボタンキャップチャンバー（３１）の前記上壁（３１１）に向かって発光する。
【００１５】
前記タッチセンサ部（５０）は、前記ボタンキャップチャンバー（３１）の前記上壁（３１１）の内壁面に設けられたフレキシブル透明導電性フィルム（例えば、ＩＴＯ）であり得る。前記タッチセンサ部（５０）は前記ボタンキャップチャンバー（３１）の前記上壁（３１１）の内壁面に設置され、且つ延出端（５１）を有し、前記延出端（５１）は前記センシング回路基板（４０）に電気的に接続されることにより、ユーザーが指で前記ボタンキャップ（３０）の上端に置く時に、前記タッチセンサ部（５０）が指の静電気を感知して信号を生じて、前記センシング回路基板（４０）が前記信号伝送部（４１）を介してタッチ信号を出力する。
【００１６】
また、前記光源モジュール（４３）が前記信号伝送部（４１）に電気的に接続されて、前記タッチ信号が出力する時に発光するように構成されることもできるが、別の態様として前記光源モジュール（４３）が前記信号伝送部（４１）及び前記押し信号伝導素子（１１１１）に電気的に接続されて、前記タッチ信号及び前記押し信号が同時に出力する時に発光するように構成されでもいい。
【産業上の利用可能性】
【００１７】
本発明のデュアルセンシングモードを有する押しボタンスイッチは、主に１つのボタンスイッチ上に押し信号とタッチ信号という２つの信号を出力して、物理的な入力とタッチセンシング入力という２種類のボタン効果を達成し、一定の空間内に操作の柔軟性を増やすことができる。例えば、押し信号がユーザーの指による操作であることの補助確認としてタッチ信号を使用し、スイッチがユーザーの指以外の物体による不意の接触で操作され、装置を意外的に起動又は停止されることを防止できる。
【符号の説明】
【００１８】
１０  台座
１１  ベース
１１１  スロット
１１１１  押し信号伝導素子
１２  復帰弾性部
１２１  圧迫面
２０  摺動座
２１  プッシャー
３０  ボタンキャップ
３１  ボタンキャップチャンバー
３１１  上壁
４０  センシング回路基板
４１  信号伝送部
４２  上端面
４３  光源モジュール
５０  タッチセンサ部
５１  延出端
【図１】
2019186181.tif 000003
【図２】
2019186181.tif 000004
【図３】
2019186181.tif 000005
【図４】
2019186181.tif 000006
【図５】
2019186181.tif 000007
【図６】
2019186181.tif 000008
【図７】
2019186181.tif 000009